(57)【要約】【課題】防水パン同士を接続するときに両者の間隔を調整することができる防水パン接続構造、接続方法及びそのためのスペーサを提供する。【解決手段】防水パン５，６を、それらの周壁５ａ，６ａを相対峙して配置し、間隔が小さい方の起立片２１，２１を周壁５ａ，６ａ間に介在させ、各起立片２１の張出部２１ａを周壁５ａ，６ａの上端面に重ねる。次いで、周壁５ａ，６ａの外側面すなわち相対峙面と反対側からビス３０が周壁５ａ又は６ａを貫通して起立片２１の孔２４へ螺じ込んで周壁５ａ，６ａとスペーサ２０とを連結する。この連結部を跨ぐように防水テープ３１を貼り付けて防水パン５，６の連結が完了する。浴室構築用スペースＳの寸法が大きいときには、間隔が大きい方の第２の起立片２２，２２を周壁５ａ，６ａ間に介在させる。【選択図】図３
2006132199.tif 000002
【特許請求の範囲】
【請求項１】
床面部と、該床面部の辺縁から起立する周壁とを有する防水パンを隣接配置し、
双方の防水パンの相対峙する周壁同士を、スペーサを介して接続した防水パン接続構造において、
該スペーサは、主板部と、該主板部から同方向に立設されて対面配置された１対の第１の起立片と、該主板部から第１の起立片と反対方向に立設され、該第１の起立片よりも大きい間隔をおいて対面配置された第２の起立片とを有しており、
各第１の起立片又は第２の起立片が前記周壁同士の間に介在され、該周壁に固定されていることを特徴とする防水パン接続構造。
【請求項２】
請求項１において、該スペーサは、
１対の長辺及び１対の短辺を有した長方形状の主板部と、
該主板部の長辺から同方向に起立する第１の起立片と、
該主板部の短辺から該第１の起立片の起立方向と反対方向に起立する第２の起立片と
を有することを特徴とする防水パン接続構造。
【請求項３】
請求項１において、前記第１の起立片及び第２の起立片は互いに平行であることを特徴とする防水パン接続構造。
【請求項４】
請求項１ないし３のいずれか１項において、前記第１及び第２の起立片のうち、前記周壁に固定された方の起立片は、周壁に固定されなかった方の起立片の上側に配置されており、
前記第１の起立片及び第２の起立片の起立方向先端部から、それぞれ互いに離反方向に張り出す張出部が設けられており、
該張出部が前記周壁の上端に上側から被さっていることを特徴とする防水パン接続構造。
【請求項５】
防水パンの周壁同士の間に介在されるスペーサにおいて、
主板部と、
該主板部から同方向に立設されて対面配置された１対の第１の起立片と、
該主板部から第１の起立片と反対方向に立設され、該第１の起立片よりも大きい間隔をおいて対面配置された第２の起立片と
を有してなることを特徴とする防水パン接続用スペーサ。
【請求項６】
請求項５において、該スペーサは、
１対の長辺及び１対の短辺を有した長方形状の主板部と、
該主板部の長辺から同方向に起立する第１の起立片と、
該主板部の短辺から該第１の起立片の起立方向と反対方向に起立する第２の起立片と
を有することを特徴とする防水パン接続用スペーサ。
【請求項７】
請求項５又は６において、前記第１の起立片及び第２の起立片の起立方向先端部から、それぞれ互いに離反方向に張り出す張出部が設けられていることを特徴とする防水パン接続用スペーサ。
【請求項８】
柱で囲まれたユニットルーム構築予定スペース内に複数枚の防水パンを搬入し、該防水パンの周壁同士をスペーサを介して連結して防水パン連結体とし、
この防水パン連結体の周囲に沿って壁パネルを建て込むユニットルーム構築方法において、
該スペーサとして請求項５ないし７のいずれか１項に記載のスペーサを用い、
前記第１の起立片と第２の起立片とのうち該壁パネルと柱との間隔を小さくする方の起立片を防水パンの周壁同士の間に介在させることを特徴とするユニットルーム構築方法。
【発明の詳細な説明】
【技術分野】
【０００１】
本発明は、ユニットバスルーム等のユニットルームを構築するための防水パン接続構造及び接続方法と、この接続に用いるためのスペーサとに関するものである。
【背景技術】
【０００２】
ユニットバスルームを構築するためにユニットルーム構築予定スペースに防水パンを設置する場合、この構築予定スペースに複数の防水パンを搬入し、このスペース内にて防水パン同士を連結して一体化することがある。このような防水パン分割・現場連結方式は、ユニットルームが大型化した場合や、防水パン搬入路が狭い場合などに採用されることが多い。
【０００３】
防水パン同士を現場にて連結する方法として、実開平７−１５８７０号には、防水パン同士を隣接配置してそれらの周縁立上り部同士を対峙させた後、下向きコ字形の部材をこれらの周縁立上り部同士を跨ぐようにして上方から被せ、該コ字形部材をビスで該周縁立上り部に固定する方法が記載されている。
【特許文献１】実開平７−１５８７０号
【発明の開示】
【発明が解決しようとする課題】
【０００４】
上記実開平７−１５８７０号の防水パンの接続方法では、防水パン同士の間隔を調整することができない。本発明は、防水パン同士を接続するときに両者の間隔を調整することができる防水パン接続構造、接続方法及びそのためのスペーサを提供することを目的とする。
【課題を解決するための手段】
【０００５】
本発明（請求項１）の防水パン接続構造は、床面部と、該床面部の辺縁から起立する周壁とを有する防水パンを隣接配置し、双方の防水パンの相対峙する周壁同士を、スペーサを介して接続した防水パン接続構造において、該スペーサは、主板部と、該主板部から同方向に立設されて対面配置された１対の第１の起立片と、該主板部から第１の起立片と反対方向に立設され、該第１の起立片よりも大きい間隔をおいて対面配置された第２の起立片とを有しており、各第１の起立片又は第２の起立片が前記周壁同士の間に介在され、該周壁に固定されていることを特徴とするものである。
【０００６】
請求項２の防水パン接続構造は、請求項１において、該スペーサは、１対の長辺及び１対の短辺を有した長方形状の主板部と、該主板部の長辺から同方向に起立する第１の起立片と、該主板部の短辺から該第１の起立片の起立方向と反対方向に起立する第２の起立片とを有することを特徴とするものである。
【０００７】
請求項３の防水パン接続構造は、請求項１において、前記第１の起立片及び第２の起立片は互いに平行であることを特徴とするものである。
【０００８】
請求項４の防水パン接続構造は、請求項１ないし３のいずれか１項において、前記第１及び第２の起立片のうち、前記周壁に固定された方の起立片は、周壁に固定されなかった方の起立片の上側に配置されており、前記第１の起立片及び第２の起立片の起立方向先端部から、それぞれ互いに離反方向に張り出す張出部が設けられており、該張出部が前記周壁の上端に上側から被さっていることを特徴とするものである。
【０００９】
本発明（請求項５）の防水パン接続用スペーサは、防水パンの周壁同士の間に介在されるスペーサにおいて、主板部と、該主板部から同方向に立設されて対面配置された１対の第１の起立片と、該主板部から第１の起立片と反対方向に立設され、該第１の起立片よりも大きい間隔をおいて対面配置された第２の起立片とを有してなることを特徴とするものである。
【００１０】
請求項６の防水パン接続用スペーサは、請求項５において、該スペーサは、１対の長辺及び１対の短辺を有した長方形状の主板部と、該主板部の長辺から同方向に起立する第１の起立片と、該主板部の短辺から該第１の起立片の起立方向と反対方向に起立する第２の起立片とを有することを特徴とするものである。
【００１１】
請求項７の防水パン接続用スペーサは、請求項５又は６において、前記第１の起立片及び第２の起立片の起立方向先端部から、それぞれ互いに離反方向に張り出す張出部が設けられていることを特徴とするものである。
【００１２】
本発明（請求項８）のユニットルーム構築方法は、柱で囲まれたユニットルーム構築予定スペース内に複数枚の防水パンを搬入し、該防水パンの周壁同士をスペーサを介して連結して防水パン連結体とし、この防水パン連結体の周囲に沿って壁パネルを建て込むユニットルーム構築方法において、該スペーサとして請求項５ないし７のいずれか１項に記載のスペーサを用い、前記第１の起立片と第２の起立片とのうち該壁パネルと柱との間隔を小さくする方の起立片を防水パンの周壁同士の間に介在させることを特徴とするものである。
【発明の効果】
【００１３】
本発明では、主板部と、該主板部から同方向に立設されて対面配置された１対の第１の起立片と、該主板部から第１の起立片と反対方向に立設され、該第１の起立片よりも大きい間隔をおいて対面配置された第２の起立片とを有するスペーサを用いて防水パン同士を接続する。
【００１４】
このスペーサには、間隔の狭い１対の第１の起立片と、間隔の広い１対の第２の起立片とが設けられている。第１の起立片を防水パン同士の間に介在させることにより、防水パン同士の間隔を小さくすることができる。また、第２の起立片を防水パン同士の間に介在させることにより、防水パン同士の間隔を大きくすることができる。浴室構築用スペースの大きさに合わせて最大限に浴室を大きくすることも可能である。
【００１５】
なお、請求項２の構造及び請求項６のスペーサにあっては、スペーサの向きを９０°変えると共にスペーサを上下反転させることにより、防水パンの周壁同士に間に配置する起立片を変えることができる。このスペーサは、ピース状であるので、小型軽量であり、取り扱いが容易であると共に、安価である。
【００１６】
請求項３の構造にあっては、スペーサを上下反転させることにより、防水パンの周壁同士に間に配置する起立片を変えることができる。この場合、スペーサが長尺、例えばレール状であってもよい。このようなスペーサによると、防水パン同士を強固に連結することができる。
【００１７】
なお、本発明の防水パンの接続構造では、周壁側から起立片へビスが螺じ込まれることにより該周壁と起立片とが固定されている構造としてもよい。かかる構造によると、防水パンの周壁と起立片とを簡単に固定することができる。
【００１８】
請求項４の構造によると、スペーサが防水パン周壁から上方へ過度に出っ張ることが防止される。
【００１９】
また、この構造及び請求項７のスペーサによると、張出部を双方の防水パンの周壁の上縁に係止させておくことができるので、ビス留め等のスペーサ固定作業を容易に行うことができる。
【発明を実施するための最良の形態】
【００２０】
以下、図面を参照して実施の形態について説明する。第１図は実施の形態に係る防水パン接続構造を備えた浴室の縦断面図、第２図はこの構造に用いられている実施の形態に係る防水パン接続用スペーサの斜視図、第３図は第１図の防水パン接続部の拡大断面図、第４図は第２図のスペーサの別の使用状態を示す第３図と同一部分の断面図である。
【００２１】
第１図の通り、布基礎１上に土台２が設置され、柱３が立設されている。
【００２２】
柱３に囲まれた浴室構築用スペースＳに防水パン５，６が設置されている。各防水パン５，６は土間コンクリート４に対し足ボルト７，８によって支持されている。
【００２３】
防水パン５は洗い場用であり、防水パン６は浴槽用である。各防水パン５，６は、床部５ｂ，６ｂと、その周囲から立ち上がる周壁５ａ，６ａとを有する。これらの防水パン５，６はスペーサ２０を介して連結されている。
【００２４】
浴槽用防水パン６上には浴槽１０が設置されている。浴槽１０の洗い場側にはエプロン９が立設されている。スペーサ２０を介した防水パン５，６の接続部は、このエプロン９の裏側に配置されている。
【００２５】
防水パン５，６の連結体の周囲に壁パネル１２が建て込まれている。この壁パネル１２の背後側には胴縁（図示略）が設けられ、この胴縁と柱３との間には胴縁調整材１１が介在されている。
【００２６】
浴室構築用スペースの天井部分には野縁受け１３、野縁１４を介して天井パネル１５が設けられている。
【００２７】
次に、第２，３図を参照して防水パン５，６の連結構造及びスペーサ２０の構成について詳細に説明する。
【００２８】
前述の通り、防水パン５，６の周縁にはそれぞれ周壁５ａ，６ａが設けられている。防水パン５，６の連結部分にあっては、周壁５ａ，６ａが相対峙しており、両者の間にスペーサ２０が配置されている。
【００２９】
このスペーサ２０は、長方形の主板部２３と、該主板部２３の１対の長辺からそれぞれ周方向に立設された１対の起立片２１，２１と、該主板部２３の１対の短辺からそれぞれ該第１の起立片と反対方向に立設された第２の起立片２２と、各起立片２１，２２に設けられたビスの螺じ込み孔２４と、各起立片２１，２２の起立方向先端から互いに離反方向に張り出した張出部２１ａ，２２ａとを有する。第２の起立片２２，２２同士の間隔は第１の起立片２１，２１同士の間隔よりも大きい。
【００３０】
第３図では、防水パン５，６を、それらの周壁５ａ，６ａを相対峙して配置し、間隔が小さい方の起立片２１，２１を周壁５ａ，６ａ間に介在させ、各起立片２１の張出部２１ａを周壁５ａ，６ａの上端面に重ねる。次いで、周壁５ａ，６ａの外側面すなわち相対峙面と反対側から、ビス３０を周壁５ａ又は６ａを貫通して起立片２１の孔２４へ螺じ込んで周壁５ａ，６ａとスペーサ２０とを連結する。
【００３１】
この連結部を跨ぐように防水テープ３１を貼り付けて防水パン５，６の連結が完了する。防水テープ３１は、張出部２１ａ，２１ａ間に跨り、さらに周壁５ａ，６ａの外側面にまで延在し、これらに貼り付けられている。防水テープ３１としては、不織布にブチルゴムを含浸したものなどを用いることができるが、これに限定されない。なお、ビス３０の頭部も防水テープ３１で覆われている。
【００３２】
第３図では、間隔が小さい方の起立片２１を周壁５ａ，６ａ間に介在させているが、浴室構築用スペースＳの寸法が大きいときには、第４図のように、間隔が大きい方の第２の起立片２２，２２を周壁５ａ，６ａ間に介在させる。この場合も、各張出部２２ａを周壁５ａ，６ａの上端面に重ねるようにし、ビス３０を周壁５ａ，６ａの外側面から周壁５ａ，６ａを貫いて起立片２２の孔２４へ螺じ込む。その後、防水テープ３１を前記と同様に貼着する。
【００３３】
なお、このような浴室構築用スペースＳの寸法の違いは柱３の寸法の相違によって生じることが多い。
【００３４】
即ち、柱には一辺が１０５ｍｍの１０５角のものと１２０ｍｍの１２０角のものとがある。柱を１間（１８２０ｍｍ）間隔で立てた場合、柱が１０５角であると、内法（うちのり）寸法は１７１５ｍｍとなり、１２０角であると１７００ｍｍとなり、１５ｍｍの差がある。防水パン５，６の第１図左右方向における辺長さの和は１６７０ｍｍである。従って、スペーサ２０の寸法としては、第１の起立片２１，２１の外側面同士の距離を３０ｍｍとし、第２の起立片２２，２２の外側面同士の距離を４５ｍｍとしておく。そして、柱が１２０角の場合は、第３図のように、間隔が小さい方の第１の起立片２１，２１を周壁５ａ，６ａ間に介在させる。また、柱が１０５角の場合には、第４図のように、間隔が大きい方の第２の起立片２２，２２を周壁５ａ，６ａ間に介在させる。
【００３５】
これにより、１０５角の柱で囲まれた浴室構築用スペースＳの場合、それに応じて防水パン５，６の連結体の一辺の長さを大きくし、構築される浴室の床面積を大きくすることが可能である。また、１２０角の柱で囲まれたスペースＳの場合、スペーサ２０を上下反転させるだけで防水パン５，６の連結、設置を行うことができる。
【００３６】
第５図は別の実施の形態に係るスペーサ４０の斜視図、第６，７図はこのスペーサ４０を用いた防水パン接続構造を示す断面図である。
【００３７】
このスペーサ４０は、方形の主板部４３と、該主板部４３の両側辺から同方向に立設された第２の起立片４２，４２と、主板部４３の該両側辺よりも若干板央側から第２の起立片４２，４２と反対方向に立設された１対の第１の起立片４１，４１と、各起立片４１，４２の起立方向先端部から互いに離反する方向に張り出した張出部４１ａ，４２ａと、各起立片４１，４２に設けられた孔４４とを有する。各起立片４１，４２は互いに平行である。
【００３８】
第１の起立片４１，４１同士の間隔は第２の起立片４２，４２同士の間隔よりも小さく、この実施の形態では、起立片４１，４１の外側面間の距離は３０ｍｍであり、４２，４２の外側面間の距離は４５ｍｍである。
【００３９】
浴室構築用スペースを囲む柱が１０５角であり、防水パン５，６間の間隔を４５ｍｍとする場合には、第６図の通り第２の起立片４２，４２を周壁５ａ，６ａ間に介在させる。柱が１２０角であり、防水パン５，６の間隙を３０ｍｍとする場合には、第７図の通り第１の起立片４１，４１を周壁５ａ，６ａ間に介在させる。いずれの場合も、張出部４１ａ又は４２ａを周壁５ａ，６ａの上側に重ねるようにしてスペーサ４０を配置した後、周壁５ａ，６ａの外側面からビス３０を打って孔４４に螺じ込むことにより、防水パン５，６同士が連結される。図示はしないが、その後、防水テープを第３，４図と同様に貼り付ける。
【００４０】
第５図のスペーサ４０はピース物であるが、起立片４１，４２の板面方向に延長した第８図の長尺物のスペーサ５０としてもよい。このスペーサ５０は、長い帯状の主板部５３と、該主板部５３の両側辺から同方向に立設された１対の第２の起立片５２と、該主板部５３の両側辺よりも若干板央側から第２の起立片５２，５２と反対方向に立設された１対の第１の起立片５１と、各起立片４１，４２の起立方向先端部から互いに離反する方向に張り出した張出部５１ａ，５２ａと、各起立片４１，４２に設けられた孔５４とを有する。各張出部５１，５２は互いに平行である。孔５４は、スペーサ５０の長手方向に間隔をおいて複数個設けられている。
【００４１】
このスペーサ５０を用いた防水パン接続構造の断面は第６，７図と同様となる。
【００４２】
なお、上記各実施の形態では、起立片に張出部２１ａ，２２ａ，４１ａ，４２ａ，５１ａ，５２ａを設け、これらを周壁５ａ，６ａの上端に重ねるようにしているので、防水パン接続作業時に張出部を周壁５ａ，６ａに掛けておくことにより、ビス留め作業を楽に行うことが可能となる。
【図面の簡単な説明】
【００４３】
【図１】実施の形態に係る防水パン接続構造を備えた浴室の縦断面図である。
【図２】第１図の構造に用いられている実施の形態に係る防水パン接続用スペーサの斜視図である。
【図３】第１図の防水パン接続部の拡大断面図である。
【図４】第２図のスペーサの別の使用状態を示す第３図と同一部分の断面図である。
【図５】別の実施の形態に係るスペーサの斜視図である。
【図６】第５図のスペーサを用いた防水パン接続構造を示す断面図である。
【図７】第５図のスペーサを用いた別の防水パン接続構造を示す断面図である。
【図８】異なる実施の形態に係るスペーサの斜視図である。
【符号の説明】
【００４４】
３  柱
５，６  防水パン
５ａ，６ａ  周壁
５ｂ，６ｂ  床面部
２０，４０，５０  スペーサ
２１，４１，５１  第１の起立片
２２，４２，５２  第２の起立片
３０  ビス
３１  防水テープ
【図１】
2006132199.tif 000003
【図２】
2006132199.tif 000004
【図３】
2006132199.tif 000005
【図４】
2006132199.tif 000006
【図５】
2006132199.tif 000007
【図６】
2006132199.tif 000008
【図７】
2006132199.tif 000009
【図８】
2006132199.tif 000010